【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
流体冷却システムであって：
表面エリアを含むある体積の熱伝達流体であって；
ある体積の空気が、前記体積の熱伝達流体の前記表面エリアを横切ることを許可する又は強制する手段であって、
前記空気の湿球温度は、あるプロセス又は場所から熱エネルギーを除去するのに十分な、前記熱伝達流体の要求される温度とほぼ等しい温度、又は該要求される温度よりも低い温度にあり、
それによって、前記体積の空気は、前記流体の温度が、蒸発手段によって、前記要求される温度とほぼ等しい温度まで下げられるか、又は該ほぼ等しい温度に維持されることを引き起こす、手段と；
を含み、
前記体積の熱伝達流体は第１タンクの中に保持され、前記体積の空気は、前記第１タンクの中の流体の集合体の上部表面エリアを横切ることを許可され又は強制され、前記プロセス又は場所で要求される冷却された流体は、前記第１タンクから前記プロセス又は場所に移送され、
前記流体冷却システムは、前記場所またはプロセスから温かい戻り流体が移送される第２タンクをを含む、流体冷却システム。
【請求項２】
請求項１に記載の流体冷却システムであって、
前記体積の熱伝達流体は小滴の形をしており、それによって、各小滴は、前記体積の熱伝達流体の前記表面エリアの一部を形成する小滴表面エリアを有し、この小滴表面エリアを横切ることを、前記体積の空気は許可され又は強制され、前記プロセス又は場所で要求される冷却された流体は、前記冷却された小滴を受容する前記第１タンクから移送される、流体冷却システム。
【請求項３】
請求項１に記載の流体冷却システムであって、
より温かい流体は、前記第２タンクに保持され、且つある時間期間の間、前記第１タンクへ移送されると共に前記第１タンクの中の流体と混ざることが防止され、それによって、前記要求される温度で、又は前記要求される温度の近くで、前記第１タンクの中の流体を維持する、流体冷却システム。
【請求項４】
請求項３に記載の流体冷却システムであって、
前記第２タンク中の流体が、前記要求される温度とほぼ等しい温度、又は前記要求される温度に近い温度にある場合、前記第２タンク中の流体は、前記第１タンクへ移送される、流体冷却システム。
【請求項５】
請求項４に記載の流体冷却システムであって、
前記プロセス又は場所から戻る温められた流体は、前記第２タンクの上方部分に受容され、且つ冷却された流体は、前記第２タンクの下方部分から、前記第１タンクの上方部分へ移送される、流体冷却システム。
【請求項６】
請求項４に記載の流体冷却システムであって、
前記第２タンクは、ある体積の空気が、前記第２タンクの中の熱伝達流体の表面エリアを横切ることを許可する又は強制するための手段を含み、前記空気の湿球温度は、前記第２タンクの中の前記熱伝達流体の温度とほぼ等しい温度、又は前記熱伝達流体の温度よりも低い温度にあり、その結果として、前記第２タンクの中の前記熱伝達流体の温度が、蒸発手段によって下げられることを引き起こす、流体冷却システム。
【請求項７】
請求項６に記載の流体冷却システムであって、
該流体冷却システムは、前記第２タンクから流出した任意量の温かい流体を保持するための第３流出タンクを更に含み、ここで流出は、条件が前記第２タンクの中の流体の蒸発冷却を許すまで続く、流体冷却システム。
【請求項８】
請求項７に記載の流体冷却システムであって、
前記第２タンクからの流体が前記第１タンクへ移送される場合、前記第３タンクからの流体は、前記第２タンクへ移送される、流体冷却システム。
【請求項９】
請求項８に記載の流体冷却システムであって、
前記第３タンクの中の流体の温度が前記要求される温度と同等である場合、前記第３タンクの中の流体は、前記第１タンクのための補給流体のソースとして使用される、流体冷却システム。
【請求項１０】
請求項９に記載の流体冷却システムであって、
前記第３タンクの中の流体の温度が、ある体積の空気が前記第３タンクの中の流体の表面エリアを横切ることを許可する又は強制することによって下げられ、前記空気の湿球温度は、前記第３タンクの中の熱伝達流体の温度とほぼ等しい温度、又は該熱伝達流体の温度よりも低い温度にある、流体冷却システム。
【請求項１１】
請求項１に記載の流体冷却システムであって：
前記要求される温度とほぼ等しい温度、又は前記要求される温度よりも低い温度にある湿球温度を有する空気を作り出すために、周囲空気の湿球温度を減少させる手段、
を更に含む、流体冷却システム。
【請求項１２】
請求項１１に記載の流体冷却システムであって、
周囲空気の前記湿球温度を減少させる手段は、前記周囲空気の絶対湿度を減少させる除湿プロセスである、流体冷却システム。
【請求項１３】
請求項１２に記載の流体冷却システムであって、
前記除湿プロセスは、あるスペースに入る前に空気を処理するための空気処理システムの一部を形成し、前記空気処理システムは、前記除湿プロセスの上流又は下流に冷却プロセスを更に含む、流体冷却システム。
【請求項１４】
請求項１３に記載の流体冷却システムであって、
前記要求される温度にほぼ近い温度まで下げられる、又は該ほぼ近い温度に維持される熱伝達流体は、熱エネルギーを除去するための冷却プロセスへ移送される、流体冷却シス
テム。
【請求項１５】
請求項１３に記載の流体冷却システムであって、
前記体積の熱伝達流体の表面エリアを横切ることを許可される又は強制される前記体積の空気は、前記スペースから供給される空気であり、この空気は、十分に低い湿球温度を有し、その結果、前記熱伝達流体の温度が、蒸発手段によって、前記要求される温度にほぼ近い温度まで下げられる、又は該ほぼ近い温度に維持される、流体冷却システム。
【請求項１６】
請求項１３に記載の流体冷却システムであって、
前記スペースは、住宅若しくはビルディング内部、又は、スポーツスタジアムの内部若しくは動物畜舎のような、部分的に囲まれたエリアである、流体冷却システム。
【請求項１７】
請求項１に記載の流体冷却システムであって、
前記体積の空気が、前記体積の熱伝達流体の前記表面エリアを横切ることを強制するための前記手段は、空気が制御された速度で移動することを誘発する、１つ以上の換気ファンの形をしている、流体冷却システム。
【請求項１８】
請求項１に記載の流体冷却システムであって、
前記タンクは、予想される最も長い期間に等しい持続期間の間、前記プロセス又は場所に対して要求されるような冷却水を供給するのに十分な体積を有し、ここで該予想される最も長い期間が経過すれば、蒸発冷却は、上昇した湿球温度のために、効果的ではなくなり、前記熱伝達流体は水である、流体冷却システム。
【請求項１９】
あるスペースに入る前に、ある体積の空気を処理するための空気処理システムであって：
乾燥された空気を作り出すために、周囲空気の絶対湿度を減少させるための除湿器と；
前記除湿器の下流にある熱交換器であって、該熱交換器は、蒸発により熱エネルギーを除去することによって、乾燥された空気を冷却するための、冷却されたプロセス流体の入力を含む、熱交換器と；
周囲空気が前記除湿器の中に入ること、前記除湿器からの乾燥された空気が前記熱交換器を横切ること、及び前記熱交換器からの乾燥され且つ冷却された空気が前記スペースの中に入ること、を許可する又は強制する手段と；
を含み、
前記冷却されたプロセス流体は、ある体積の空気が、ある体積の熱伝達流体の表面エリアを横切ることを許可する又は強制することによって作り出され、前記空気の湿球温度は、前記乾燥された空気から熱エネルギーを除去するのに要求される前記熱伝達流体の温度とほぼ等しい温度、又は前記熱伝達流体の温度よりも低い温度にあり、それによって、前記体積の空気は、前記流体の温度が、蒸発手段によって、前記要求される温度とほぼ等しい温度まで下げられる、又は該ほぼ等しい温度に維持され、
前記体積の熱伝達流体の表面エリアを横切ることを許可される又は強制される前記体積の空気は、前記スペースから供給される空気であり、この空気は、十分に低い湿球温度を有し、その結果、前記熱伝達流体の温度が、蒸発手段によって、前記要求される温度にほぼ近い温度まで下げられる、又は該ほぼ近い温度に維持される、空気処理システム。
【請求項２０】
あるスペースに入る前に空気を処理するための方法又はプロセスであって：
乾燥された空気を作り出すために、周囲空気の絶対湿度を減少させるステップと；
冷却された空気を作り出すために、前記乾燥された空気が熱交換器を横切ることを許可する又は強制するステップであって、前記熱交換器は、蒸発により熱エネルギーを除去することによって、前記乾燥された空気を冷却するための、冷却された流体の入力を有する、ステップと；
前記乾燥され且つ冷却された空気が、前記スペースの中に入ることを許可する又は強制するステップと；
を含み、
前記冷却された流体は、ある体積の空気が、ある体積の熱伝達流体の表面エリアを横切ることを許可する又は強制することによって作り出され、前記空気の湿球温度は、前記乾燥された空気から熱エネルギーを除去するのに要求される前記熱伝達流体の温度とほぼ等しい温度、又は前記熱伝達流体の温度よりも低い温度にあり、それによって、前記体積の空気は、前記流体の温度が、蒸発手段によって、前記要求される温度とほぼ等しい温度まで下げられる、又は該ほぼ等しい温度に維持されることを引き起こし、
前記体積の熱伝達流体の表面エリアを横切ることを許可される又は強制される前記体積の空気は、前記スペースから供給される空気であり、この空気は、十分に低い湿球温度を有し、その結果、前記熱伝達流体の温度が、蒸発手段によって、前記要求される温度にほぼ近い温度まで下げられる、又は該ほぼ近い温度に維持される、方法又はプロセス。